(57)【特許請求の範囲】
【請求項１】
洗浄水を加圧循環するポンプと、洗浄水を噴射する噴射口を有する洗浄手段と、食器等の被洗浄物から脱落する残滓を捕捉する残滓フィルタとを備え、前記残滓フィルタは開口部を長形とし、前記開口部の長辺を所定の間隔で配列した線材により構成するとともに、前記線材を保持し前記残滓フィルタの形状を保つ保持部と、線材の途中に前記線材の間隔を保つ支持部とを有し、前記支持部を前記線材で構成し、前記線材により形成された第１の開口部と、前記線材により形成された第１の開口部より大きな第２の開口部とを有した食器洗い機。
【請求項２】
残滓フィルタは、第１の開口部の位置が、第２の開口部の位置より、ポンプにより生成した洗浄水の水流の下流となるように配置した請求項１記載の食器洗い機。
【請求項３】
ポンプに流入する洗浄水から残滓を捕捉する洗浄槽の底部に設けた第１の残滓フィルタと、前記ポンプから吐出する洗浄水から残滓を捕捉する第２の残滓フィルタと、前記第２の残滓フィルタへ洗浄水を吐出する吐出口とを有し、前記第２の残滓フィルタの開口部を前記第１の残滓フィルタの開口部より小さくした請求項１または２に記載の食器洗い機。
【請求項４】
洗浄水を加圧循環する洗浄ポンプと、洗浄水が通過する洗浄水流路と、洗浄水を機外に排出する排水ポンプと、排水が通過する排水流路とを有し、残滓フィルタは前記洗浄水流路と前記排水流路にそれぞれ有し、洗浄中に前記洗浄水流路で捕捉した残滓を排水時に機外に排出するようにした請求項１〜３のいずれか１項に記載の食器洗い機。
【発明の詳細な説明】
【技術分野】
【０００１】
本発明は、洗浄水中の残滓を捕捉し分離する残滓フィルタを有する食器洗い機に関するものである。
【背景技術】
【０００２】
従来、この種の食器洗い機は、図１６に示すような構成であった（例えば、特許文献１参照）。以下、その構成について説明する。外槽４１の内部に洗浄槽４２を配し、洗浄槽４２の下方に、洗浄水循環ポンプ４３を設けている。洗浄槽４２内には、洗浄水循環ポンプ４３の水圧で回転運動しながら洗浄水４４を噴出する洗浄ノズル４５を有し、かつ、食器カゴ４６を配設し、この食器カゴ４６に食器類４７を置き、前記洗浄ノズル４５から噴出した洗浄水４４で、食器類４７を洗浄する。洗浄水４４には、あらかじめ、洗剤を入れておく。さらに、洗浄槽４２下部には、ヒータ４８が配設されており、洗浄水４４を加熱しながら洗浄を行う。このとき、洗浄水４４は洗浄水循環ポンプ４３で循環しながら洗浄を行うが、食器類４７から洗い落とした残菜が、食器類４７に再付着するのを防止するため、洗浄槽４２下部に、残滓フィルタ４９を配し、ここを洗浄水４４が通過するようにし、残滓フィルタ４９で捕捉し分離する。
【０００３】
残滓フィルタ４９により残滓が分離された洗浄水４４を洗浄水循環ポンプ４３で循環しながら洗浄を行う。一定時間洗浄後、排水ポンプ５０で洗浄水４４を機外へ排出し、その後、再び新しい水を供給して、洗浄と同様の方法ですすぎを数回行う。さらにその後ヒータ４８で、食器類４７を加熱乾燥し、工程を終了する。第１７図に従来の残滓フィルタ部の断面図を示す。洗浄槽４２の底部に設けた凹部５１に、プレス加工により形成した孔径１ｍｍ程度の小穴を多数有するステンレス板製のパンチングプレート５２を配置し、洗浄水中の残滓を捕捉分離している。パンチングプレート５２は洗浄水４４を通過するが残菜は捕捉するので、洗浄水４４から残滓を分離することができ、洗浄水４４を循環しても食器類４７に残滓が再付着することなく食器類４７の洗浄を行うことができ、洗浄性能を向上させることができる。
【０００４】
また、図１８に従来の他の食器洗い機の断面図を示す。残滓フィルタ５３は、水切り孔を有する金属板５４と、残滓カゴ５５と、残滓カゴ５５の外周を覆う金属メッシュ部５６で構成し、洗浄水中の残滓を捕捉分離する（例えば、特許文献２参照）。
【特許文献１】特公平８−１７７６２号公報
【特許文献２】特開平４−２２４７２５号公報
【発明の開示】
【発明が解決しようとする課題】
【０００５】
しかしながら前記従来の構成では、洗浄水のろ過浄化の性能を高めるために、洗浄水から残滓を確実に捕捉するよう多数の小穴を有するパンチングプレートを用いている。パンチングにより開けられた小穴部はバリ等の微小な突起を有するので、洗浄中に洗浄水が循環されフィルタを通過すると、残滓が微少な突起を起点としてフィルタに引っかかり強固に保持される。運転が停止した後もフィルタに残滓が強く固着し続けるので、残滓フィルタを掃除するさい残滓フィルタから残滓を取除くことが困難であるという課題を有していた。
【０００６】
また、洗浄水から残滓の捕捉性能を向上させるために縦横均一に細かい開き目を有する金属メッシュにより構成した残滓フィルタは、残滓を捕捉するさい線材の縦横間隔が同じであるため開き目の４辺で細かい粒子状の残滓を挟み込むように捕捉し、強固に保持する。運転が停止した後もフィルタに残滓が強く固着し続けるので、残滓フィルタを掃除するさい残滓フィルタから残滓を取除くことが困難であるという課題を有していた。
【０００７】
また、樹脂により成形された残滓フィルタもバリ等の微少な突起を有するため、同様の課題を有していた。
【０００８】
本発明は、前記従来の課題を解決するもので、循環する洗浄水から残滓を効率よく捕捉し、かつ、残滓を容易に取り除くことができる残滓フィルタを有した食器洗い機を提供するものである。
【課題を解決するための手段】
【０００９】
前記従来の課題を解決するために、本発明の食器洗い機は、洗浄水を加圧循環するポンプと、洗浄水を噴射する噴射口を有する洗浄手段と、食器等の被洗浄物から脱落する残滓を捕捉する残滓フィルタとを備え、前記残滓フィルタは開口部を長形とし、前記開口部の
長辺を所定の間隔で配列した線材により構成するとともに、前記線材を保持し前記残滓フィルタの形状を保つ保持部と、線材の途中に前記線材の間隔を保つ支持部とを有し、前記支持部を前記線材で構成し、前記線材により形成された第１の開口部と、前記線材により形成された第１の開口部より大きな第２の開口部とを有したものである。
【００１０】
これによって、残滓フィルタの開口部は長形であるため、狭い２辺で細かい粒子状の残滓を捕捉することができると共に、２辺間で捕捉された細かい粒子状の残滓は長形の開口部の長手方向にずれることで外れやすくなり、運転終了後に残滓フィルタを掃除するさい、残滓フィルタから残滓を容易に取除くことができるので、掃除の手間を軽減することができる。
【発明の効果】
【００１１】
本発明の食器洗い機は、残滓フィルタから残滓を容易に取除くことができ、残滓フィルタを掃除するさいの手間を軽減することができる。
【発明を実施するための最良の形態】
【００１２】
第１の発明は、洗浄水を加圧循環するポンプと、洗浄水を噴射する噴射口を有する洗浄手段と、食器等の被洗浄物から脱落する残滓を捕捉する残滓フィルタとを備え、前記残滓フィルタは開口部を長形とし、前記開口部の長辺を所定の間隔で配列した線材により構成するとともに、前記線材を保持し前記残滓フィルタの形状を保つ保持部と、線材の途中に前記線材の間隔を保つ支持部とを有し、前記支持部を前記線材で構成し、前記線材により形成された第１の開口部と、前記線材により形成された第１の開口部より大きな第２の開口部とを有したことにより、線材を狭い間隔で配列することで循環する洗浄水から細かな残滓を確実に捕捉することができる。そして、また、長形の開口部を断面が略円形の線材で構成すれば、残滓フィルタに捕捉した残滓がバリ等の特定の場所を起点として引っかかり強固に保持されることがなく、循環する洗浄水から捕捉した残滓を緩やかに保持できるため、残滓フィルタを掃除するさい残滓フィルタから残滓を容易に取除くことができる。
【００１３】
また、線材を保持し前記残滓フィルタの形状を保つ保持部を有することにより、残滓フィルタが堅牢な構造となり外力に対する耐久性が向上するので、掃除するさいの着脱や清掃作業時に特別な配慮を必要とせず、容易に取扱うことができる。
【００１４】
また、線材の途中に前記線材の間隔を保つ支持部を有することにより、線材の間隔を確実に固定することで所定の開口部を保つことができ、洗浄水から残滓を捕捉し分離する残滓フィルタの性能を一定に保つことができる。
【００１５】
また、支持部を線材で構成したことにより、一方を残滓フィルタに残滓が引っかかる起点となるバリ等の微少な突起を有しない線材を狭い間隔で配列することで、洗浄水から細かな残滓を確実に捕捉することができ、また、もう一方を広い間隔で線材を配列することで、開口部の広い間隔の２辺では残滓を捕捉し難く開口部に強固に残滓が保持さないため、残滓フィルタを掃除するさい残滓フィルタから残滓を容易に取除くことができる。
【００１６】
また、線材により形成された第１の開口部と、前記線材により形成された第１の開口部より大きな第２の開口部とを有したことにより、残滓フィルタが残滓を捕捉するさいに線材により形成された開口部の小さな所から順次閉塞することで、一度に全体が閉塞することを防ぎ、被洗浄物より脱落する残滓の量が多い時であっても、洗浄水が残滓フィルタを通過するさいの圧力損失を軽減し、洗浄水の循環を維持することができ、洗浄性能を高く保つことができる。
【００１７】
第２の発明は、特に、第１の発明の残滓フィルタは、第１の開口部の位置が、第２の開口部の位置より、ポンプにより生成した洗浄水の水流の下流となるように配置したことにより、下流に位置する線材により形成された開口部によって捕捉した残滓が、上流に位置する線材により形成された開口部より大きな開口部へ流出することなく確実に保持されるので、残滓が洗浄水中に流出し再度食器を汚染することがなく、洗浄性能を高く保つことができる。
【００１８】
第３の発明は、特に、第１または第２の発明のポンプに流入する洗浄水から残滓を捕捉する洗浄槽の底部に設けた第１の残滓フィルタと、前記ポンプから吐出する洗浄水から残滓を捕捉する第２の残滓フィルタと、前記第２の残滓フィルタへ洗浄水を吐出する吐出口とを有し、前記第２の残滓フィルタの開口部を前記第１の残滓フィルタの開口部より小さくしたことにより、被洗浄物から脱落する残滓を確実に捕捉し、閉塞しやすい第２の残滓フィルタを洗浄槽内の操作性の良い位置に配置することにより、掃除する際の作業性が向上し負担が軽減する。
【００１９】
第４の発明は、特に、第１〜第３のいずれか１つの発明の洗浄水を加圧循環する洗浄ポンプと、洗浄水が通過する洗浄水流路と、洗浄水を機外に排出する排水ポンプと、排水が通過する排水流路とを有し、残滓フィルタは前記洗浄水流路と前記排水流路にそれぞれ有し、洗浄中に前記洗浄水流路で捕捉した残滓を排水時に機外に排出するようにしたことにより、残滓フィルタに残滓が蓄積しないため、残滓フィルタを掃除する負担を軽減することができる。
【００２０】
以下、本発明の実施の形態について、図面を参照しながら説明する。なお、本実施の形態によって本発明が限定されるものではない。
【００２１】
（実施の形態１）
図１は、本発明の第１の実施の形態における食器洗い機の断面図を示すものである。図１に示すように、食器洗い機本体１は、前方を開口し、内部の洗浄槽２に被洗浄物（食器類）３を設置する食器カゴを設けている。この食器カゴは、皿、椀等の食器類を収納する下カゴ４ａと、カップ等の食器類を収容する上カゴ４ｂとで構成し、この下カゴ４ａに、箸、スプーン等の小物食器を収容する小物入れ４ｃを設けている。また、洗浄槽２内には、洗浄槽２内の洗浄水を加熱する加熱手段としてヒータ５と、このヒータ５の上部に残滓や食器カゴから落下した食器等が接触するのを防ぐヒータカバー６を設け、洗浄槽２の下面にポンプ７を設け、洗浄ノズル８に噴射口９より洗浄水を噴射して、被洗浄物３を洗浄するように構成している。
【００２２】
残滓フィルタ１０は被洗浄物から脱落した残滓を捕捉するものであり、給水弁１１は水道水を洗浄槽２に給水し、洗浄槽２内の洗浄水の排水はポンプ７により行う。温度センサ１２はサーミスタで構成し、洗浄槽２の下面に取付けて制御装置１３に入力し、洗浄槽２内の洗浄水の温度を検知して制御装置１３により洗浄水の温度を制御するとともに、乾燥行程での温度制御をするようにしている。洗浄槽２の上面には内蓋１４を食器洗い機本体１に設けている。この内蓋１４は食器洗い機本体１の内部にあり、洗浄槽２を食器洗い機本体１内に収納したときに洗浄槽２の上方の開口部を閉塞するものである。
【００２３】
上記構成において動作を説明する。使用者が被洗浄物３を食器カゴである下カゴ４ａ、上カゴ４ｂ、小物入れ４ｃにそれぞれ配置し、洗浄槽２に収納して洗剤を入れた後、食器洗い機本体１内に収納し、内蓋１４により洗浄槽２の上方の開口部を閉塞して運転を開始すると、制御装置１３により、ヒータ５、ポンプ７、給水弁１１等の運転を制御し、給水弁１１から洗浄槽２内へ給水した洗浄水を洗浄ノズル８から洗浄槽２内の被洗浄物３へ噴射し洗浄を行う。
【００２４】
このとき、洗浄水はポンプ７で循環しながら洗浄を行うが、被洗浄物３から脱落した残菜が被洗浄物３に再度付着することを防止するため、また、ポンプ７の機能を低下させる異物がポンプ７内に流入することを防止するため、洗浄槽２の下部に配置した残滓フィルタ１０に洗浄水が通過するようにし、残滓フィルタ１０で洗浄水から残滓を捕捉分離する。このろ過浄化した洗浄水をポンプ７で循環しながら洗浄を行う。一定時間洗浄後、ポンプ７で洗浄水を機外へ排出し、その後、再び新しい水を供給して、洗浄と同様の方法ですすぎを数回行う。さらにその後ヒータ５で、被洗浄物３を加熱乾燥し、運転を終了する。
【００２５】
図２は、本発明の第１の実施の形態における食器洗い機の残滓フィルタの平面図、図３は、本発明の第１の実施の形態における食器洗い機の残滓フィルタの断面図を示すものである。図２に示すように、残滓フィルタ１０はステンレスワイヤー等の線材１５を略直線状に並べて配列して長形の開口部１０ａを有しており、外殻は樹脂の保持部１６で線材１５の両端を埋め込み成形して強度を高めるとともに、線材１５を所定の間隔Ｓに保持している。
【００２６】
上記構成において動作を説明する。ポンプ７を駆動させて洗浄槽２内の洗浄水を循環すると、洗浄水は残滓フィルタ１０に流入し、線材１５により形成された長形の開口部１０ａを通過する。残滓フィルタ１０を通過した洗浄水は、ポンプ７により洗浄ノズル８へ圧送され、噴射口９から被洗浄物３に向かって噴射する。洗浄水は、被洗浄物３に付着する残滓を脱落させた後、再び残滓フィルタ１０を通過して残滓が捕捉分離され、ポンプ７に戻り循環する。
【００２７】
ここで、長形の開口部１０ａを線材１５で構成した残滓フィルタ１０の特徴を述べる。残滓フィルタ１０の開口部１０ａが長形であることから、残滓は間隔の狭い２辺で捕捉される。これは残滓が、洗浄水の噴射やポンプによる衝撃によって粉砕され、細かい略球状の粒子になっていくためである。長形の開口部１０ａの長辺が線材１５であることから、残滓は線材１５によって捕捉される。
【００２８】
図３に示すように、線材１５は、断面が略円形状のステンレスワイヤー等の金属線により構成されており、パンチングプレートや樹脂成形フィルタが有するバリ等の微少な突起を有しておらず、捕捉する残滓を強固に保持する起点が存在しないため、残滓フィルタ１０は、緩やかにフィルタ上に残滓を保持することができる。また、長形の開口部１０ａの狭い方の間隔Ｓを所定幅に設定することで、細かい粒子状の残滓を捕捉することができるので、線材を狭く等間隔に編込んだメッシュ状のフィルタ等と比べ同等の捕捉性能を有する。
【００２９】
一方、縦横均一な開口部を有する金属メッシュは、残滓を捕捉するさい線材の縦横間隔が同じであるため、細かい略球状の粒子になった残滓を４辺で捕捉する。長形の開口部１０ａを有する残滓フィルタ１０は、残滓を狭い間隔の２辺で捕捉することから、縦横均一な開口部を有する金属メッシュで構成したフィルタと残滓を捕捉した状態が異なり、残滓と線材１５の接触点を減少させ接触抵抗を低下させることができるので、残滓フィルタ１０は緩やかに残滓を捕捉することができる。残滓を長辺方向に少しずらすことで残滓を容易に脱離することができ、掃除するさいは長形の開口部１０ａに沿って容易に残滓を取除くことができる。
【００３０】
また、長形の開口部１０ａを有する残滓フィルタ１０は金属メッシュ比べ、開口部の最小間隔を同じとした場合、単位面積辺りの開口面積は増加することから、洗浄水が残滓フィルタを通過するさいの圧力損失を低減することができる。これらのことから、長形の開口部１０ａを線材で構成した残滓フィルタ１０は、清掃が容易となり、短時間で負荷が少なく、確実に残滓フィルタを掃除することができる。
【００３１】
長形の開口部１０ａの短辺の間隔は０．３〜３ｍｍ程度で、細かな残滓を確実に捕捉するために好ましくは０．３〜１ｍｍ程度である。開口部１０ａの間隔を一定とするとき、線材１５の線径を小さくすることで残滓フィルタ１０の単位面積あたりの開口面積を広げることができ、洗浄水が残滓フィルタ１０を通過しやすくなるが、線径を極端に細くすると強度が低下し耐久性が劣るので、線材１５の線径は０．１〜２ｍｍ程度が最適である。
【００３２】
なお、所定の間隔Ｓを形成した残滓フィルタ１０の線材１５は、ステンレスに限らずアルミ、銀、亜鉛、チタン、銅、鉄等の金属や合金、またはポリプロピレン、ポリエチレン、ナイロン等ワイヤー状に成形した樹脂や前記金属を含有した樹脂等を用いてもよい。ワイヤーに樹脂を使用するさいは、ワイヤーの径の断面に成型バリが生成することがないよう注意が必要である。押出し成型等によりワイヤー上に線材を成形することが望ましく、ワイヤーの径の断面を分割するような金型を用いて線材を成形することは望ましくない。ワイヤーに金属を使用することにより固有の特性を活用し抗菌性能や耐久性を発揮することができる。また、基材に樹脂を用いることで安価に作製することができる。
【００３３】
なお、残滓フィルタ１０は、開口部１０ａを噴射口９が有する開口部より小さくなるよう形成することで、残滓フィルタ１０を通過した洗浄水中の残滓が噴射口９を塞ぎ、洗浄ノズル８からの洗浄水の吐出を妨げることがなくなる。洗浄水を確実に循環することができるので、洗浄時およびすすぎ時の性能を低下させず高効率に運転することができる。
【００３４】
（実施の形態２）
図４は、本発明の第２の実施の形態における食器洗い機の残滓フィルタの平面図を示すものである。図４において、残滓フィルタは、ステンレスワイヤー等の線材１５を配列して長形の開口部１０ａを有しており、外殻は樹脂の保持部１６で線材１５の両端を埋め込み成形して強度を高めている。線材１５の途中に線材１５を所定の間隔Ｓに保つ樹脂の支持部１７を有しており、支持部１７は保持部１６と共に一体成形されている。他の部分の構成は本発明の実施の形態１で示した食器洗い機と同様であり、省略する。
【００３５】
以上のように構成された食器洗い機について、その動作、作用を説明する。線材１５の途中に線材１５を所定の間隔Ｓに確実に固定する支持部１７を有することにより、所定の開口部１０ａを保つことができ、洗浄水から残滓を捕捉し分離する残滓フィルタの性能を一定に保つことができる。支持部１７により線材１５が所定の間隔に確実に固定され安定することから、線径の小さい細い線材、例えば狭い方のすき間より細い線材を用いることができ、線径を細くすることで残滓フィルタ１０の単位面積あたりの開口面積を広げることができ、洗浄水が残滓フィルタ１０を通過するさいの圧力損失を低減することができる。
【００３６】
また、残滓フィルタ１０の開口部１０ａが長形であることから、残滓は間隔の狭い２辺で捕捉される。長形の開口部の長辺が線材１５であることから、残滓は線材１５によって捕捉される。線材１５の断面は略円形状であることから、線材１５により形成された開口部を有する残滓フィルタ１０は、パンチングプレートや樹脂成形フィルタが有するバリ等の微少な突起や、金属メッシュが有する線材の多数の交錯点が存在しないので、線材１５の所定の間隔を確実に保ってかつ緩やかにフィルタ上に残滓を捕捉し保持することができる。支持部１７を樹脂で成形することで、線材の交錯点を有せず、また、保持部１６と一体成形することが可能となるので、簡単に構成することができる。
【００３７】
なお、線材１５は、フィルタの長手方向または短手方向に配列することができ、またフィルタの端から端まで、または一部に偏って配置することができる。線材で形成した残滓フィルタは、線材の配列方向または配置によってその効果に変わりはない。
【００３８】
なお、線材１５を保持する保持部１６は、線材１５の途中に複数設けても良い。ただし、開口部１０ａは長形とし長辺を線材で構成することにより、残滓フィルタ１０が残滓を捕捉するさい開口部１０ａの間隔の狭い線材の２辺により捕捉されるようにする。
【００３９】
（実施の形態３）
図５は、本発明の第３の実施の形態における食器洗い機の残滓フィルタの平面図を示すものである。図５において、残滓フィルタは、ステンレスワイヤー等の線材１５を配列して長形の開口部１０ａを有しており、外殻は樹脂の保持部１６で埋め込み成形して強度を高めている。線材１５の途中には所定の間隔に保つ線材により構成した支持部１７ａを有しており、支持部１７ａは線材１５に編み込まれている。他の部分の構成は本発明の実施の形態１で示した食器洗い機と同様であり、省略する。
【００４０】
以上のように構成された食器洗い機について、その動作、作用を説明する。線材１５の途中に線材１５を所定の間隔に確実に固定する線材により構成した支持部１７ａを設けることにより、所定の開口部１０ａを保つことができ、洗浄水から残滓を捕捉し分離する残滓フィルタ１０の性能を一定に保つことができるので、基本的には、実施の形態１と同様に長形の開口部と線材によるメリットが得られる。
【００４１】
また、実施の形態２に比べて劣るが縦横均一な開口部を有する金属メッシュでは、開口部の最小間隔を同じとした場合、単位面積辺りの線材の交錯点が多数存在するので、多数の線材の交錯点を起点として捕捉した残滓が強固に保持され、残滓フィルタの掃除が困難となる。また、単位面積あたりの開口面積は減少することから、洗浄水が残滓フィルタを通過するさいの圧力損失が増す。また、縦横均一な開口部を有する金属メッシュは、残滓を捕捉するさい線材の縦横間隔が同じであるため４辺で捕捉する。
【００４２】
一方、長形の開口部１０ａを有する残滓フィルタ１０は、狭い間隔の２辺で捕捉する。長形の開口部を有する残滓フィルタ１０は縦横均一な開口部を有する金属メッシュで構成したフィルタと残滓を捕捉した状態が異なり、残滓と線材１５の接触点と減少させ接触抵抗を低下させることができるので、残滓フィルタ１０は緩やかに残滓を捕捉することができ、掃除するさいは容易に残滓を取除くことができる。
【００４３】
（実施の形態４）
図６は、本発明の第４の実施の形態における食器洗い機の断面図、図７は、残滓フィルタの断面図、図８は、残滓フィルタの平面図を示すものである。残滓フィルタは長形の開口部１０ａを持つ線材部１８と、線材部１８の開口部１０ａより大きな開口部を有するプレート部１９とにより構成されている。線材部１８は、ステンレスワイヤー等の線材１５を配列して構成しており、線材１５の途中に線材１５を所定の位置に支持するステンレスワイヤー等の線材からなる支持部１７を有し、長形の開口部１０ａを形成した平面状の線材１５を略円筒状に配置し、外殻を樹脂の保持部１６で保持して強度を高めている。
【００４４】
また、プレート部１９は、プレス加工により形成した直径１〜２ｍｍ程度の小穴を多数有するステンレス板等のパンチングフィルタ２０で構成しており、プレート部１９が線材部１８に対してポンプ７により生成した洗浄水の水流の上流になるよう配置している。他の部分の構成は本発明の実施の形態１で示した食器洗い機と同様であり、省略する。
【００４５】
なお、線材１５を略円筒状に配置せず例えば多角柱状であってもよく、また、支持部１７が無い場合であっても同様の効果が得られる。
【００４６】
以上のように構成された食器洗い機について、その動作、作用を説明する。ポンプ７を駆動させて洗浄槽２内の洗浄水を循環すると、洗浄水は残滓フィルタ１０の線材部１８またはプレート部１９に形成された開口部を通過する。残滓フィルタ１０を通過した洗浄水は、ポンプ７により洗浄ノズル８へ圧送され、噴射口９から被洗浄物３に向かって噴射する。洗浄水は、被洗浄物３に付着する汚れを剥しとった後、再び残滓フィルタ１０を通過し残滓が捕捉分離されてポンプ７に戻り循環する。線材部１８の開口部はプレート部１９の開口部に比べ小さいことから、残滓フィルタ１０は線材部１８がプレート部１９より多くの残滓を捕捉する。
【００４７】
プレート部１９に引っかかった残滓が洗浄水の循環水流によって線材部１８に移動しても確実に捕捉することができる。線材部１８から先に閉塞する構成であるため、線材部１８が多量の残滓により閉塞してしまっても、線材部１８の上流に線材部１８より開口部の大きいプレート部１９が位置することにより洗浄水の循環を妨げないので、洗浄水が残滓フィルタ１０を通過するさいの循環流量を十分確保することができるので、高い洗浄能力を有し、かつ残滓の高い捕捉性能を保つことができる。
【００４８】
なお、残滓フィルタのプレート部１９は長形の開口部を有する線材で形成してもよい。線材は、断面が略円形状のステンレスワイヤー等の金属線により構成されており、パンチングプレートが有するバリ等の微少な突起を有しておらず、捕捉する残滓を強固に保持する起点が存在しないため、残滓フィルタのプレート部は、緩やかに残滓を保持することができ、掃除するさいは容易に残滓を取除くことができる。
【００４９】
なお、図９は他の例の残滓フィルタの断面図、図１０は、残滓フィルタの平面図を示すものである。残滓フィルタは、長形の開口部を持つ線材部１８と線材部の開口部より大きな開口部を有するプレート部１９により構成されている。線材部１８は、ステンレスワイヤー等の線材１５を略平面状に配列して構成しており、外殻を樹脂の保持部１６で保持して強度を高めている。また、プレート部１９は、プレス加工により形成した直径１〜２ｍｍ程度の小穴を多数有するステンレス板等のパンチングフィルタ２０で構成しており、プレート部１９が線材部１８に対してポンプ７により生成した洗浄水の水流の上流になるよう配置している。以上のように構成された残滓フィルタも同様の効果が得られる。
【００５０】
（実施の形態５）
図１１は、本発明の第５の実施の形態における食器洗い機の断面図、図１２は、残滓フィルタの平面図を示すものである。第１の残滓フィルタ２１は洗浄槽２の下部に、第２の残滓フィルタ２２は洗浄槽２の壁面上方に配置し、本発明の特徴である開口部１０ａを長形とし線材１５により形成しており、図２〜５と同様に構成している。第２の残滓フィルタ２２に洗浄水を吐出する吐出口２３を洗浄槽２の壁面に設け、ポンプ７から吐出口２３までを洗浄槽２の側面を通した導水路２４により洗浄水を圧送している。他の部分の構成は本発明の実施の形態１で示した食器洗い機と同様であり、省略する。
【００５１】
以上のように構成された食器洗い機について、その動作、作用を説明する。ポンプ７を駆動させて洗浄槽２内の洗浄水を循環すると、洗浄水は第１の残滓フィルタ２１の線材部３４を通過してポンプ７へ流入し、ポンプ７により洗浄ノズル８および導水路２４を通って吐出口２３に圧送される。洗浄ノズル８へ圧送された洗浄水は噴射口９から被洗浄物３に向かって噴射し、吐出口２３に圧送された洗浄水は第２の残滓フィルタ２２を通過することによりろ過浄化される。第１の残滓フィルタ２１は、ポンプ７に流入する洗浄水中からポンプ７に異常をきたす可能性がある残滓を捕捉するように比較的粗い間隔を有している。
【００５２】
第２の残滓フィルタ２２は、０．３〜１ｍｍ程度の比較的細かい開きめを有しており、ポンプ７から吐出された洗浄水から細かな残滓を確実に捕捉し被洗浄物３への残滓の再付着を防ぐことで、洗浄能力を向上させることができる。特に大きな残滓を投入しない限り、残滓は第２の残滓フィルタに蓄積するだけなので、使用者は運転が終了したさい取出し易い場所に位置する第２の残滓フィルタ２２の掃除が容易となり、作業負担が軽減する。
【００５３】
（実施の形態６）
図１３は、本発明の第６の実施の形態における食器洗い機の断面図、図１４は、残滓フィルタの断面図、図１５は、残滓フィルタの平面図を示すものである。モータ２５に連結され洗浄水を加圧循環する洗浄ポンプ２６と洗浄水を機外に排出する排水ポンプ２７と、洗浄水が通過する洗浄水流路２８と、排水が通過する排水流路２９とを有し、残滓フィルタ１０は前記洗浄水流路２８に洗浄フィルタ部３０と前記排水流路２９に排水フィルタ部３１とを有している。他の部分の構成は本発明の実施の形態１で示した食器洗い機と同様であり、省略する。
【００５４】
以上のように構成された食器洗い機について、その動作、作用を説明する。洗浄時は、モータ２５を駆動させ洗浄ポンプ２６により洗浄槽２内の洗浄水を循環すると、洗浄水は洗浄ポンプ２６から吐出され、洗浄ノズル８へ圧送され噴射口９から被洗浄物３に向かって噴射する。洗浄水は、被洗浄物３に付着する残滓を脱落させた後、残滓フィルタ１０の洗浄フィルタ部３０をＡおよびＢのように通過して残滓が捕捉分離され、再び洗浄ポンプ２６に戻り循環する。排水時は、モータ２５を反転駆動させることにより洗浄水が排水ポンプ２７により残滓フィルタ１０の排水フィルタ部３１をＣのように通過し排水流路２９を通って機外に排出する。
【００５５】
洗浄時に洗浄水がＡまたはＢのように通過する残滓フィルタ１０の上面洗浄フィルタ部３０ａおよび側面洗浄フィルタ部３０ｂは、長形の開口部の狭い方の間隔Ｓが０．３〜３ｍｍ程度であり、洗浄水から残滓を確実に捕捉分離することで被洗浄物３への残滓の再付着を防ぎ、洗浄効率を向上している。洗浄時に洗浄水が通過する洗浄フィルタ部３０は、洗浄水がＢのように通る側面洗浄フィルタ部３０ｂの方が、洗浄水がＡのように通る上面洗浄フィルタ部３０ａより間隔Ｓが細かくなっており、大きな残滓は洗浄水がＡのように通過したときに上面洗浄フィルタ部３０ａで捕捉し、小さな残滓は洗浄水がＢのように通過したときに側面洗浄フィルタ部３０ｂで捕捉する。
【００５６】
排水時に洗浄水がＣのように通過する残滓フィルタ１０の下面の排水フィルタ部３１は、排水ポンプ２７の性能を損なう大きな残滓を捕捉する。排水フィルタ部３１は洗浄フィルタ部３０の開きめより粗くすることで、洗浄時に洗浄フィルタ部３０に捕捉した残滓を排水時に排出することができる。また、洗浄時に洗浄水が通過する側面洗浄フィルタ部３０ｂは、線材で構成された長形の開口部を有することから残滓を緩やかに捕捉しているので、洗浄水がＣのように通過すると側面洗浄フィルタ部３０ｂで捕捉された残滓が外れることで、より多くの残滓を排出することができる。残滓フィルタ１０への残滓の蓄積が低減することから、掃除の頻度が少なくなり、作業負担を軽減することができる。
【００５７】
なお、洗浄時に洗浄水が通過する上面洗浄フィルタ３０ａ、側面洗浄フィルタ３０ｂおよび排水時に洗浄水が通過する排水フィルタ３１は全て線材により構成しているが、側面洗浄フィルタ３０ｂを除くいずれかの残滓フィルタを線材以外で構成しても、排水時に残滓を排出する能力に大差はない。
【００５８】
なお、洗浄ポンプ２６と排水ポンプ２７はモータ２５により駆動しているが、それぞれ別の動力源を有して洗浄ポンプおよび排水ポンプを構成しても、洗浄および排水性能に変わりはない。
【００５９】
なお、洗浄時に洗浄水が通過する側面洗浄フィルタ３０ｂは、線材を略円筒状に配列させて構成しているが、角柱等であってもその効果は変わらない。
【産業上の利用可能性】
【００６０】
以上のように、本発明にかかる食器洗い機は、残滓フィルタから残滓を容易に取除くことができ、残滓フィルタを掃除するさいの手間を軽減することができるので、キッチンの流し台等のフィルタの用途にも適用できる。
【図面の簡単な説明】
【００６１】
【図１】本発明の実施の形態１の食器洗い機の断面図
【図２】同食器洗い機の残滓フィルタの平面図
【図３】同食器洗い機の残滓フィルタの断面図
【図４】本発明の実施の形態２の食器洗い機の残滓フィルタの平面図
【図５】本発明の実施の形態３の食器洗い機の残滓フィルタの平面図
【図６】本発明の実施の形態４の食器洗い機の断面図
【図７】同食器洗い機の残滓フィルタ部の断面図
【図８】同食器洗い機の残滓フィルタの平面図
【図９】同食器洗い機の他の例の残滓フィルタ部の断面図
【図１０】同食器洗い機の他の例の残滓フィルタの平面図
【図１１】本発明の実施の形態５の食器洗い機の断面図
【図１２】同食器洗い機の残滓フィルタの平面図
【図１３】本発明の実施の形態６の食器洗い機の断面図
【図１４】同食器洗い機の残滓フィルタ部の断面図
【図１５】同食器洗い機の残滓フィルタの平面図
【図１６】従来の食器洗い機の断面図
【図１７】同食器洗い機の残滓フィルタ部の断面図
【図１８】従来の他の食器洗い機の断面図
【符号の説明】
【００６２】
７  ポンプ
８  洗浄ノズル（洗浄手段）
９  噴射口
１０  残滓フィルタ
１０ａ  開口部
【図１】
0005029215.tif 000002
【図２】
0005029215.tif 000003
【図３】
0005029215.tif 000004
【図４】
0005029215.tif 000005
【図５】
0005029215.tif 000006
【図６】
0005029215.tif 000007
【図７】
0005029215.tif 000008
【図８】
0005029215.tif 000009
【図９】
0005029215.tif 000010
【図１０】
0005029215.tif 000011
【図１１】
0005029215.tif 000012
【図１２】
0005029215.tif 000013
【図１３】
0005029215.tif 000014
【図１４】
0005029215.tif 000015
【図１５】
0005029215.tif 000016
【図１６】
0005029215.tif 000017
【図１７】
0005029215.tif 000018
【図１８】
0005029215.tif 000019